(57)【要約】【課題】削りカスを生じさせることなくスクラッチを行うことができ、かつ、従来の一般的なスクラッチ印刷物よりも安価に製造することができ、さらにスクラッチにより芳香を生じさせることが可能なるスクラッチ印刷物を提供する。【解決手段】印刷基材シート上に、二酸化チタンおよび香料を含むインクを用いて、隠蔽すべき情報を当該印刷基材シートの表面に印刷し、その上に、１色以上の図柄を印刷してなるスクラッチ印刷物。【選択図】図１
0003153995.tif 000002
【実用新案登録請求の範囲】
【請求項１】
印刷基材シート上に、硬貨の金属よりも硬度の大きい材料および香料を含むインクを用いて、隠蔽すべき情報を当該印刷基材シートの表面に印刷し、その上に、１色以上の図柄を印刷してなるスクラッチ印刷物。
【請求項２】
硬貨の金属よりも硬度の大きい材料が、二酸化チタン、酸化アルミニウム、二酸化ケイ素、および酸化クロムの群から選ばれた少なくとも1種である、請求項１記載のスクラッチ印刷物。
【請求項３】
香料が、圧力で破壊されるマイクロカプセルに包含されている請求項１または２記載のスクラッチ印刷物。
【請求項４】
上記インクの色および１色以上の図柄が白色である請求項１〜３いずれかに記載のスクラッチ印刷物。
【考案の詳細な説明】
【技術分野】
【０００１】
本考案は、基材シートの表面に特殊な印刷加工を施してなるスクラッチ印刷物に関し、特に、コインなどの金属片を用いて表面を擦ることにより、隠蔽されていた情報が表出するように構成されたスクラッチ印刷物に関する。
【背景技術】
【０００２】
従来から、インスタントくじ（当せん金付証票）や、商品の販促用の媒体等を対象として、スクラッチ印刷の技術が適用されている。一般的なスクラッチ印刷物は、まず、隠蔽すべき文字（或いは図柄）を含む全情報を、紙製或いは合成樹脂製の基材シートの表面に印刷し、次に、印刷された情報のうち、隠蔽すべき部分を覆い隠すように、印刷面の上に剥離性を有する隠蔽層を部分的に形成する、という方法によって製造されている。
このような従来の一般的なスクラッチ印刷物は、スクラッチを行う際に、隠蔽層が基材シートの表面から剥ぎ落とされる結果、「削りカス」が生じるという問題がある。
【０００３】
このような問題を解決する技術として、例えば特許文献１に記載の印刷物がある。この印刷物では、秘密画像が金属よりも硬度の大きい材料を含むインキ組成物で印刷基材上に印刷される。そして、印刷部分をコインでスクラッチすると、コインの削り取られた金属で印刷部分が着色され、秘密画像が視認可能な状態で現れる。従って、この印刷物では、隠蔽層をスクラッチオフする際に削りカスが発生しない。
しかしながら、従来のスクラッチ印刷物では、スクラッチ印刷物に光を当てる方向によっては、印刷部分をスクラッチしていない状態（秘密状態）でも秘密画像が目視可能な状態となるという問題がある。
また、以上のスクラッチ印刷物は、スクラッチによって、秘密画像が視認可能になるだけであり、スクラッチにより芳香を生じさせるなどのその他の効果を奏するものでもない。
【先行技術文献】
【特許文献】
【０００４】
【特許文献１】特開昭６２−２９７１９６号公報
【考案の概要】
【考案が解決しようとする課題】
【０００５】
本考案は、このような従来技術における問題を解決すべくなされたものであって、削りカスを生じさせることなくスクラッチを行うことができ、かつ、従来の一般的なスクラッチ印刷物よりも安価に製造することができ、さらにスクラッチにより芳香を生じさせることが可能なスクラッチ印刷物を提供することを目的とする。
【課題を解決するための手段】
【０００６】
本考案は、印刷基材シート上に、硬貨の金属よりも硬度の大きい材料および香料を含むインクを用いて、隠蔽すべき情報を当該印刷基材シートの表面に印刷し、その上に、１色以上の図柄を印刷してなるスクラッチ印刷物に関する。
ここで、硬貨の金属よりも硬度の大きい材料としては、二酸化チタン、酸化アルミニウム、二酸化ケイ素、および酸化クロムの群から選ばれた少なくとも1種が好ましい。
また、香料は、圧力で破壊されるマイクロカプセルに包含されているものが好ましい。
さらに、上記インクの色および１色以上の図柄は、白色であることが好ましい。
【考案の効果】
【０００７】
本考案のスクラッチ印刷物は、スクラッチを行う際に、削りカスが全く生じないという効果を期待することができ、また、印刷部分をスクラッチしていない状態（秘密状態）でも秘密画像が目視することができないうえ、スクラッチにより、芳香を生じさせることができ、芳香により販売促進の効果をさらに高めることができる。
【図面の簡単な説明】
【０００８】
【図１】本考案の一実施形態で、スクラッチ印刷物の説明図である。
【考案を実施するための形態】
【０００９】
以下、添付図面に沿って、本考案を実施するための最良の形態について説明する。図１は、本考案の一実施形態に係る「スクラッチ印刷物」の説明図である。
まず、（１）に示すように、白色の基材シート２（紙製或いは合成樹脂製）の表面に、オフセット印刷機により印刷を行う。印刷は、オフセットに限らず、ＵＶオフセット印刷、活版印刷、グラビア印刷、シルクスクリーン印刷、ＵＶ活版印刷などの印刷技術が可能である。なお、隠蔽すべき情報以外の部分（表示部分Ａ）については、どのような色のインクを使用してもよく、その背景色も任意の配色とすることができるが、隠蔽すべき情報（隠蔽部分Ｂ）については、硬貨の金属よりも硬度の大きい材料として二酸化チタンおよび香料を含む白色のインクを用いて印刷を行い、その背景には原則として印刷を行わない。
【００１０】
この状態では、表示部分Ａについては、当然のことながら印刷情報を明確に視認できることになるが、隠蔽部分Ｂについては、背景（基材シート２の地色）と、使用されているインクの色が一致している（ともに白色である）ため、容易には視認することができない。しかしながら、同色であったとしても、印刷が行われているところと、行われていないところとでは、光の反射具合が微妙に異なるため、視線角度や光の入射角度を変更することにより、隠蔽部分Ｂにおける印刷情報が視認できてしまうことがある。
【００１１】
そこで、かかる不都合を回避すべく、図１（２）に示すように、隠蔽部分Ｂの上層に、１色以上の図柄Ｃを印刷する。図柄Ｃとしては、隠蔽部分Ｂ全体に白色のインクをさらに印刷してもよいし、図示しないが、２色以上のカラーの模様を印刷してもよい。
なお、隠蔽部分Ｂ全体に白色のインクを印刷する場合には、例えば二酸化チタンを５重量％未満の範囲で配合した白色系インクが好ましいが、これに限定するものではなく、淡色系の有色系インクを用いて印刷してもよい。
【００１２】
このようにして製造した印刷物は、銅、アルミニウム製などのコイン等の金属（二酸化チタンよりも軟らかい金属）製の小片を用いてスクラッチを行う（隠蔽部分Ｂの表面を擦る）ことにより、図１（３）に示すように、隠蔽されていた印刷情報Ｄを明確に視認できる状態とすることができ、かつ、削り滓を生じさせることなく、スクラッチを実行することができる。
【００１３】
この点についてより具体的に説明すると、隠蔽部分Ｂの印刷は、二酸化チタンおよび香料を含むインクを用いて行われているため、印刷が行われた基材シート２の表面には二酸化チタンの微粒子が付着しており、その部分を対象として、二酸化チタンよりも軟らかい金属の小片を用いてスクラッチを行うと、その金属片の一部が二酸化チタンの微粒子によって削り取られ、これが印刷面上に残留して着色されることになる。その結果、隠蔽情報が表出し、それらが視認可能な状態となる。そして、この印刷物は、従来のように剥離性の隠蔽層を形成するような構造とはなっていないため、スクラッチの際に削り滓が全く生じない。
【００１４】
ここで、硬貨の金属よりも硬度の大きい材料としては、二酸化チタン以外に、酸化アルミニウム、二酸化ケイ素、酸化クロムなどが挙げられるが、これらに限定されるものではない。特好ましくは、二酸化チタンである。
【００１５】
また、隠蔽部分Ｂには香料が混入されており、通常の状態では香料の香りが外部に漂うことがないが、隠蔽部分Ｂを引っ掻くなどして粉砕した際にマイクロカプセルが破壊されて包含された香料の香りが外部に漂うように構成されている。マイクロカプセルに包含される香料としては、以下に示すようなものを用いることができる。
なお、隠蔽部Ｂは、マイクロカプセルに包含された香料のほか、単にインクに下記に例示されたような香料がブレンドされた、香料入りのインクであってもよい。
【００１６】
（１）天然香料
（ａ）植物性香料
オレンジ油、ラベンダー油、レモン油、ジャスミン花油、ペパーミント油、カシア油、アニス油、オリス油、ネロリ油、ベルガモット油、スパイク油、パチューリ油、ローズマリー油、サイム油、クラリセイジ油、パルマローザ油、ジンジャーグラス油、レモングラス油、シトロネラ油、リナロエ油、アジョワン油
（ｂ）動物性香料
カストリウム、ムンク、シべット、アンバーグリス
【００１７】
（２）エステル類
（ａ）脂肪族酸のエステル
酢酸エステル、プロピオン酸エステル、吉草酸エステル、ヘプチル酸エステル、ラウリン酸エステル、オクチンカルボン酸エステル、ミリスチン酸エステル、ヘプチンカルボン酸エステル
（ｂ）芳香族酸のエステル
フェニル酢酸エステル、フタール酸エステル、サリチル酸エステル、安息香酸エステル、アニス酸エステル
【００１８】
（３）炭化水素
（ａ）環状テルペン炭化水素
カンフェン、ジペンテン、フェランドレン、テルピノレン、α−ピネン、β−ピネン、リモネン
（ｂ）セスキテルペン
カジネン、カリオレフィン
（ｃ）芳香族炭化水素
ジフェニルメタン、ｐ−シモール
【００１９】
（４）フェノール及びフェノールエーテル
ジベンジルエーテル、ジメチルヒドロキノン、ジフェルエーテルニルオキシド、アニーソル、ｐ−アセチルアニーソル、アネトール、オイゲノール、イソオイゲノール、メチルオイゲノール、メチルイソオイゲノール、ベンジルイソオイゲノール、フサロール、イソフサロール、β−ナフトールメチルエーテル、β−ナフトールエチルエーテル、β−ナフトールイソブチルエーテル
【００２０】
（５）アルコール類
（ａ）脂肪族アルコール
ｎ−ノニルアルコール、ｎ−オクチルアルコール、ジメチルオクタノール、ｎ−ウンデシレンアルコール
（ｂ）オレフィン系テルペンアルコール
ゲラニオール、シトロネロール、リナロール、テトラヒドロリナロール、ヒドロキシ・シトロネロール、ロジノール
（ｃ）環状テルペンアルコール
α−テルピネオール、β−テルピネオール、γ−テルピネオール、イソプレゴール、メントール、ボルネオール、イソボルネオール
（ｄ）セスキテルペンアルコール
ネロリドール、サンタロール、ファルネソール
（ｅ）芳香族アルコール
アニスアルコール、ベンジルアルコール、シンナミックアルコール、γ−フェニルプロピルアルコール、メチルフェニルカルビノール、ジメチルフェニルカルビノール、ジメチルベンジルカルビノール、β−フェニルエチル・ジメチルカルビノール、β−フェニルエチル・メチルエチルカルビノール、フェノキシエチルアルコール
【００２１】
（６）ケトン類
（ａ）脂肪族ケトン
メチル−ｎ−ノニルケトン、メチル−ｎ−アミルケトン、メチル−ｎ−ヘキシルケトン、メチル−ｎ−アミルケトン、ジアセチル、メチルヘプテノン
（ｂ）環状テルペンケトン
メントル、カルボン
（ｃ）芳香族ケトン
ベンジリデンアセトン、ベンゾフェノン、メチルナフチルケトン、イオノン、メチルイオノン、イロン、ジャスモン、シベトン、エキザルトン、アセトフェノン、ｐ−メチルアセトフェノン
【００２２】
（７）ラクトン及びオキシド
エキザルトリド、クマリン、シネオール
（８）アルデヒド類
（ａ）脂肪族アルデヒド
ｎ−オクチルアルデヒド、ｎ−ノニルアルデヒド、ｎ−ヘプチルアルデヒド、ノナジエナールｎ−デシルアルデヒド、ｎ−ウンデシアルデヒド、ｎ−テトラデシルアルデヒド、ｎ−トリデシルアルデヒド、ウンデシレンアルデヒド、ｎ−ジュオデシルアルデヒド、メチルノニルアセトアルデヒド、ｎ−ヘキサンデシルアルデヒド
（ｂ）オレフィン系テルペン
シトロネラール、シトラール、ヒドロトシ・シアルデヒドトロネラール
（ｃ）芳香族アルデヒド
サリチルアルデヒド、アニスアルデヒド、ベンズアルデヒド、フェニルアセトアルデヒド、クミンアルデヒド、ワニリン、エチルワニリン、ｐ−トリルアルデヒド、ｐ−トリルアセトアルデヒド、フェニルプロピルアセトアルデヒド、シンナミックアルデヒドα−アミルシンナミックアルデヒド、ｐ−イソプロピル−α−メチルヒドロシンナミックアルデヒド
（９）酸
フェニル酢酸、ヒドロ桂皮酸、桂皮酸、安息香酸
（１０）窒素系化合物
スカトール、インドール、ニトロベンゾール、キノリン誘導体
【００２３】
例えば、以上の各香料を用いて、香料を内包化したマイクロカプセル７を作製する。
マイクロカプセル化の方法としては、真空蒸着法、静電合体法、噴霧造粒法、気中懸濁法等の物理的・機械的手法による方法や、界面重合法、ｉｎ−ｓｉｔｕ重合法、コンプレックスコアセルベーション法、有機溶剤系からの相離法、液中乾燥によるマイクロカプセル化法、融解分散冷却法によるマイクロカプセル化法、液中硬化被覆マイクロカプセル化法等の物理化学方法及び化学的方法によりマイクロカプセル化する。
【００２４】
上記のマイクロカプセル化において、物理的・機械的手法による方法では、壁膜材として、でん粉、ポリビニルピロリドン、カルボキシメチルセルロース、ゼラチン、アラビアゴム、メチルセルロース、ヒドロキシエチルセルロース、ポリビニルアルコール、ポリアクリル酸等の水溶性物質、セルロースアセテート、エチルセルロース、ポリメタクリレート、ポリアミド、ポリエチレン、ニトロセルロース、シリコーン等の非水溶性物質、ステアリン酸、パルミチン酸、グリセリルステアレート等のワックス類等を用いてマイクロカプセル化を行う。
【００２５】
また、物理化学的方法及び化学的方法では、ポリエステル、ポリウレタン、ポリアミド、ポリスルフォンアミド、エポキシ化合物、ポリスンフォネート、ポリカーボネート、ポリオール、ポリイソシアナート、ポリアクリル酸、アクリレート化合物、ポリアミン、ポリサルファイド、尿素、ゼラチン、ゴム、エチルセルロース、フェノール樹脂、マレイン酸樹脂、ポリ塩化ビニル、ポリアクリル酸塩、ワックス、脂肪酸、ポリエチレン、ポリビニルアルコール等を用いてマイクロカプセル化を行う。
【００２６】
これらのマイクロカプセルに内包化された香料は、基材シート２上に印字や印刷により表示された隠蔽部分Ｂの表示情報を見るために、表面から引っ掻くと、基材シート２上に形成された２層の部分である隠蔽部分Ｂと図柄Ｃの二層が破壊されて剥離し、その際に隠蔽部分Ｂ内に混入されているマイクロカプセルの一部が破壊されるために、マイクロカプセル内の香料が発散されることでその香料の香りを嗅ぐことができる。マイクロカプセルに内包化する香料の種類により、香りが異なるので、任意に選択した香料の香りを嗅ぐことができた場合に、そのスクラッチ隠蔽部分Ｂが偽造・変造されたものでない本物のスクラッチカードであることを判定することができる。
【００２７】
なお、基材シート２としては、上質紙（非塗工紙）、コート紙、マットコート紙などを用いることが好ましい。また、隠蔽部分Ｂについては、基材シート２として上質紙を用いる場合、網点の％を３０〜４０％の範囲内、コート紙或いはマットコート紙を用いる場合、２０〜３０％の範囲内に設定して印刷を行うことが好ましい。また、図柄Ｃについては、上質紙の場合、網点の％を５〜２０％の範囲内、コート紙或いはマットコート紙の場合、３〜１５％の範囲内に設定して印刷を行うことが好ましい。これらの範囲を外れた場合、スクラッチ前における隠蔽効果が十分に得られないことがある。
【００２８】
さらに、隠蔽部分Ｂの印刷に使用するインク（顔料として二酸化チタンを含む白色のインク）としては、二酸化チタンの含有量が３５〜８０重量％のものを使用することが好ましく（一般的なものは、含有量３０重量％程度）、かかるインクを用いることにより、スクラッチ後における隠蔽情報を明確に表出させることができる。また、二酸化チタンの含有量が５５〜６５重量％のインクを使用した場合には、隠蔽情報の表出効果を更に好適なものとすることができる。二酸化チタン以外の他の材料でも同様である。
【００２９】
また、隠蔽部分Ｂの印刷に使用する白色インクには、１〜３重量％の範囲で皮膜強化剤を予め混入し、練肉しておくことが好ましい。この場合、基材シート２に対するインク（印刷層）の定着性を向上させることができるため、チョーキングを好適に回避することができるほか、表面を金属片で擦っても、白色インクによる印刷層が基材シート２から容易には脱落せず、その結果、スクラッチの実行により隠蔽情報を一旦表出させたしまった後であっても、消しゴム等で表面を擦って、印刷面上に残留している金属粉を除去することにより、元の隠蔽状態（スクラッチ可能な状態）に復帰させることができる。そして、この「スクラッチによる隠蔽情報の表出」と「隠蔽状態への復帰」は、３〜４回程度、繰り返し実行することができる。
【００３０】
なお、図柄Ｃの印刷に使用するインクにも、１〜３重量％の範囲で皮膜強化剤を予め混入し、練肉しておくことが好ましい。隠蔽部分Ｂは、使用される白色インクが顔料として二酸化チタンを多量に含有していること等に起因して、通常はマット調に仕上がるが、白色インク以外のインクによって印刷した部分は、基本的にはグロス調に仕上がるため、このグロスギャップにより、隠蔽部分Ｂにおける印刷情報が視認できてしまうことがあるが、図柄Ｃの印刷に使用するインクに皮膜強化剤を混入した場合には、図柄Ｃの仕上がりが多少なりともマット調となり、隠蔽部分Ｂとのグロスキャップが小さくなる結果、より好適な隠蔽効果が得られる。
【符号の説明】
【００３１】
２：基材シート
Ａ：隠蔽すべき情報以外の部分（表示部分）
Ｂ：隠蔽部分
Ｃ：図柄（ベタ塗りの白）
Ｄ：印刷情報（当たり）
【図１】
0003153995.tif 000003